(57)【特許請求の範囲】
【請求項１】
画像を表示する表示手段と、
前記表示手段に表示された画像上への描画操作が行われると、該描画操作による操作軌跡を検出する検出手段と、
前記検出手段により検出された前記描画操作による操作軌跡から、画像再生時の演出効果を付与するための複数のパラメータを判断する判断手段と、
前記検出手段による前記操作軌跡の検出時に前記表示手段に表示されていた画像と前記判断手段により判断された複数のパラメータを含む編集情報とを対応付けて記憶する第１の記憶手段と、
前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、
複数の画像を前記表示手段に順番に表示しながら、表示されている各画像に対応させて、前記検出手段による前記操作軌跡の検出動作、前記判断手段による前記複数のパラメータの判断動作を繰り返し実行させる制御手段と
を備え、
前記第１の記憶手段は、前記制御手段の制御により取得された複数のパラメータを含む編集情報を各画像に対応付けて、各画像の再生順序が決められたスライドショーデータとして記憶し、
前記表示制御手段は、前記第１の記憶手段に記憶されたスライドショーデータの再生が指示されると、該スライドショーデータに含まれる複数の画像を順番に再生して表示するとともに、各画像に対応付けられた編集情報に含まれる複数のパラメータに基づいて、各画像を再生表示する際に演出効果を付与することを特徴とする画像再生装置。
【請求項２】
画像を表示する表示手段と、
前記表示手段に表示された画像上への描画操作が行われると、該描画操作による操作軌跡を検出する検出手段と、
前記検出手段により検出された前記描画操作による操作軌跡から、画像再生時の演出効果を付与するための複数のパラメータを判断する判断手段と、
前記検出手段による前記操作軌跡の検出時に前記表示手段に表示されていた画像と前記判断手段により判断された複数のパラメータを含む編集情報とを対応付けて記憶する第１の記憶手段と、
前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、
演出効果の種別と、その他に少なくとも演出効果の方向、速度、変化量のうちの１つを含む複数のパラメータの内容が異なる複数の前記編集情報であって、演出効果の種別が画像の移動または回転である前記編集情報を含む複数の前記編集情報と、複数の前記操作軌跡の各々とを対応付けて記憶する第２の記憶手段と
を備え、
前記判断手段は、前記検出手段により検出された前記描画操作による操作軌跡に対応する前記編集情報を前記第２の記憶手段から取得することにより、前記演出効果の種別と、その他に少なくとも演出効果の方向、速度、変化量のうちの１つを含む複数のパラメータを判断し、
前記表示制御手段は、前記判断手段により演出効果の種別が画像の移動または回転であると判断された場合は、少なくとも方向、速度、変化量のうちの１つが指定された画像の移動または回転を行うことを特徴とする画像再生装置。
【請求項３】
画像を表示する表示手段と、
前記表示手段に表示された画像上への描画操作が行われると、該描画操作による操作軌跡を検出する検出手段と、
前記検出手段により検出された前記描画操作による操作軌跡から、画像再生時の演出効果を付与するための複数のパラメータを判断する判断手段と、
前記検出手段による前記操作軌跡の検出時に前記表示手段に表示されていた画像と前記判断手段により判断された複数のパラメータを含む編集情報とを対応付けて記憶する第１の記憶手段と、
前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、
を備え、
前記表示手段は、タッチパネルを備えており、
前記検出手段は、前記タッチパネル上への連続的な描画操作による一筆書きの始点から終点までを１つの操作軌跡とし、１つの画像に対して少なくとも２つ以上の描画操作による２つ以上の操作軌跡を検出し、
前記判断手段は、前記一筆書きによる２つ以上の操作軌跡から１つの演出効果に対応する前記複数のパラメータであって、演出効果の種別と、その他に少なくとも演出効果の方向、速度、変化量のうちの１つを含む複数のパラメータを判断し、
前記表示制御手段は、２つ以上の描画操作による操作軌跡の各々に対応する編集情報に含まれる複数のパラメータに基づいて、少なくとも方向、速度、変化量のうちの１つが指定された画像の移動または回転に関する演出効果を付与して、前記１つの画像を前記表示手段に表示することを特徴とする画像再生装置。
【請求項４】
画像を表示する表示手段と、
前記表示手段に表示された画像上への描画操作が行われると、該描画操作による操作軌跡を検出する検出手段と、
前記検出手段により検出された前記描画操作による操作軌跡から、画像再生時の演出効果を付与するための複数のパラメータであって、演出効果の種別と、その他に少なくとも演出効果の方向、速度、変化量のうちの１つを含む複数のパラメータを判断する判断手段と、
前記検出手段による前記操作軌跡の検出時に前記表示手段に表示されていた画像と前記判断手段により判断された複数のパラメータを含む編集情報とを対応付けて記憶する第１の記憶手段と、
前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、
を備え、
前記表示制御手段は、１つ以上の描画操作による操作軌跡が描画された時系列順に、それぞれに対応する編集情報に含まれる複数のパラメータに基づいて、少なくとも方向、速度、変化量のうちの１つが指定された画像の移動または回転に関する演出効果を含む複数の演出効果を付与して、前記画像を前記表示手段に表示することを特徴とする画像再生装置。
【請求項５】
前記検出手段は、前記描画操作の操作方向、前記描画操作の操作速度、および前記描画操作の操作量のうち少なくとも１つを検出し、
前記判断手段は、前記検出手段により検出された前記描画操作の操作方向、前記描画操作の操作速度、および前記描画操作の操作量のうち少なくとも１つを含む検出情報に基づいて、前記演出効果の方向、前記演出効果の速度、および前記演出効果の変化量のうち少なくとも１つを判断することを特徴とする請求項２乃至４のいずれかに記載の画像再生装置。
【請求項６】
前記複数のパラメータは、演出効果の対象領域を更に含み、
前記検出手段は、前記描画操作による操作軌跡で囲まれる領域を更に検出し、
前記判断手段は、前記検出手段により検出された前記操作軌跡で囲まれる領域の検出情報に基づいて、前記演出効果の対象領域を判断し、
前記表示制御手段は、前記判断手段により判断された演出効果の対象領域について、画像の移動または回転を行うことを特徴とする請求項５に記載の画像再生装置。
【請求項７】
前記判断手段は、前記操作軌跡で囲まれる領域に基づいて前記演出効果の対象領域を判断し、前記描画操作の操作方向に基づいて前記演出効果の方向を判断し、前記描画操作の操作速度に基づいて前記演出効果の速度を判断し、前記描画操作の操作量に基づいて前記演出効果の変化量を判断することを特徴とする請求項６記載の画像再生装置。
【請求項８】
複数の画像の中から処理対象となる画像を特定する画像特定手段を更に備え、
前記表示手段は、前記画像特定手段により特定された画像を表示し、
前記第１の記憶手段は、前記画像特定手段により特定された画像と前記判断手段により判断された複数のパラメータを含む編集情報とを対応付けて記憶することを特徴とする請求項１乃至７のいずれかに記載の画像再生装置。
【請求項９】
タッチパネルを備えた表示手段に画像を表示する表示ステップと、
表示された画像上への描画操作が行われると、該描画操作による操作軌跡を検出する検出ステップと、
検出された前記描画操作による操作軌跡に対応する、画像再生時の演出効果を付与するための複数のパラメータを判断する判断ステップと、
前記操作軌跡の検出時に表示されていた前記画像と前記判断された複数のパラメータを含む編集情報とを対応付けて記憶する第１の記憶ステップと、
前記記憶された画像と該画像に対応付けられた編集情報とを読み出し、該編集情報に含まれる複数のパラメータに基づいて演出効果を付与して、該画像を表示する表示制御ステップと、
複数の画像を前記表示手段に順番に表示しながら、表示されている各画像に対応させて、前記検出手段による前記操作軌跡の検出動作、前記判断手段による前記複数のパラメータの判断動作を繰り返し実行させる制御ステップと
を含み、
前記第１の記憶ステップは、前記制御ステップの制御により取得された複数のパラメータを含む編集情報を各画像に対応付けて、各画像の再生順序が決められたスライドショーデータとして記憶し、
前記表示制御ステップは、前記第１の記憶ステップにより記憶されたスライドショーデータの再生が指示されると、該スライドショーデータに含まれる複数の画像を順番に再生して表示するとともに、各画像に対応付けられた編集情報に含まれる複数のパラメータに基づいて、各画像を再生表示する際に演出効果を付与することを特徴とする画像再生方法。
【請求項１０】
画像に演出効果を付与して表示部に表示する画像再生装置のコンピュータを、
前記表示部に表示された画像上への描画操作が行われると、該描画操作による操作軌跡を検出する検出手段、
前記検出手段により検出された前記描画操作による操作軌跡から、画像再生時の演出効果を付与するための複数のパラメータを判断する判断手段、
前記検出手段による前記操作軌跡の検出時に前記表示手段に表示されていた画像と前記判断手段により判断された複数のパラメータを含む編集情報とを対応付けて記憶する記憶手段、
前記記憶手段から記憶された画像と該画像に対応付けられた編集情報とを読み出し、該編集情報に含まれる複数のパラメータに基づいて演出効果を付与して、該画像を前記表示部に表示する表示制御手段、
複数の画像を前記表示手段に順番に表示しながら、表示されている各画像に対応させて、前記検出手段による前記操作軌跡の検出動作、前記判断手段による前記複数のパラメータの判断動作を繰り返し実行させる制御手段
として機能させるプログラムであって、
前記第１の記憶手段は、前記制御手段の制御により取得された複数のパラメータを含む編集情報を各画像に対応付けて、各画像の再生順序が決められたスライドショーデータとして記憶し、
前記表示制御手段は、前記第１の記憶手段に記憶されたスライドショーデータの再生が指示されると、該スライドショーデータに含まれる複数の画像を順番に再生して表示するとともに、各画像に対応付けられた編集情報に含まれる複数のパラメータに基づいて、各画像を再生表示する際に演出効果を付与することを特徴とするプログラム。
【請求項１１】
タッチパネルを備えた表示手段に画像を表示する表示ステップと、
表示された画像上への描画操作が行われると、該描画操作による操作軌跡を検出する検出ステップと、
検出された前記描画操作による操作軌跡に対応する、画像再生時の演出効果を付与するための複数のパラメータを判断する判断ステップと、
前記操作軌跡の検出時に表示されていた前記画像と前記判断された複数のパラメータを含む編集情報とを対応付けて記憶する第１の記憶ステップと、
前記記憶された画像と該画像に対応付けられた編集情報とを読み出し、該編集情報に含まれる複数のパラメータに基づいて演出効果を付与して、該画像を表示する表示制御ステップと、
演出効果の種別と、その他に少なくとも演出効果の方向、速度、変化量のうちの１つを含む複数のパラメータの内容が異なる複数の前記編集情報であって、演出効果の種別が画像の移動または回転である前記編集情報を含む複数の前記編集情報と、複数の前記操作軌跡の各々とを対応付けて記憶する第２の記憶ステップと
を含み、
前記判断ステップは、前記検出ステップにより検出された前記描画操作による操作軌跡に対応する前記編集情報を前記第２の記憶ステップにより記憶した情報から取得することにより、前記演出効果の種別と、その他に少なくとも演出効果の方向、速度、変化量のうちの１つを含む複数のパラメータを判断し、
前記表示制御ステップは、前記判断ステップにより演出効果の種別が画像の移動または回転であると判断された場合は、少なくとも方向、速度、変化量のうちの１つが指定された画像の移動または回転を行うことを特徴とする画像再生方法。
【請求項１２】
画像に演出効果を付与して表示部に表示する画像再生装置のコンピュータを、
前記表示部に表示された画像上への描画操作が行われると、該描画操作による操作軌跡を検出する検出手段、
前記検出手段により検出された前記描画操作による操作軌跡から、画像再生時の演出効果を付与するための複数のパラメータを判断する判断手段、
前記検出手段による前記操作軌跡の検出時に前記表示手段に表示されていた画像と前記判断手段により判断された複数のパラメータを含む編集情報とを対応付けて記憶する記憶手段、
前記記憶手段から記憶された画像と該画像に対応付けられた編集情報とを読み出し、該編集情報に含まれる複数のパラメータに基づいて演出効果を付与して、該画像を前記表示部に表示する表示制御手段、
演出効果の種別と、その他に少なくとも演出効果の方向、速度、変化量のうちの１つを含む複数のパラメータの内容が異なる複数の前記編集情報であって、演出効果の種別が画像の移動または回転である前記編集情報を含む複数の前記編集情報と、複数の前記操作軌跡の各々とを対応付けて記憶する第２の記憶手段
として機能させるプログラムであって、
前記判断手段は、前記検出手段により検出された前記描画操作による操作軌跡に対応する前記編集情報を前記第２の記憶手段から取得することにより、前記演出効果の種別と、その他に少なくとも演出効果の方向、速度、変化量のうちの１つを含む複数のパラメータを判断し、
前記表示制御手段は、前記判断手段により演出効果の種別が画像の移動または回転であると判断された場合は、少なくとも方向、速度、変化量のうちの１つが指定された画像の移動または回転を行うことを特徴とするプログラム。
【請求項１３】
タッチパネルを備えた表示手段に画像を表示する表示ステップと、
表示された画像上への描画操作が行われると、該描画操作による操作軌跡を検出する検出ステップと、
検出された前記描画操作による操作軌跡に対応する、画像再生時の演出効果を付与するための複数のパラメータを判断する判断ステップと、
前記操作軌跡の検出時に表示されていた前記画像と前記判断された複数のパラメータを含む編集情報とを対応付けて記憶する記憶ステップと、
前記記憶された画像と該画像に対応付けられた編集情報とを読み出し、該編集情報に含まれる複数のパラメータに基づいて演出効果を付与して、該画像を表示する表示制御ステップと、
を含み、
前記検出ステップは、前記タッチパネル上への連続的な描画操作による一筆書きの始点から終点までを１つの操作軌跡とし、１つの画像に対して少なくとも２つ以上の描画操作による２つ以上の操作軌跡を検出し、
前記判断ステップは、前記一筆書きによる２つ以上の操作軌跡から１つの演出効果に対応する前記複数のパラメータであって、演出効果の種別と、その他に少なくとも演出効果の方向、速度、変化量のうちの１つを含む複数のパラメータを判断し、
前記表示制御ステップは、２つ以上の描画操作による操作軌跡の各々に対応する編集情報に含まれる複数のパラメータに基づいて、少なくとも方向、速度、変化量のうちの１つが指定された画像の移動または回転に関する演出効果を付与して、前記１つの画像を前記表示手段に表示することを特徴とする画像再生方法。
【請求項１４】
画像に演出効果を付与して表示部に表示する画像再生装置のコンピュータを、
前記表示部に表示された画像上への描画操作が行われると、該描画操作による操作軌跡を検出する検出手段、
前記検出手段により検出された前記描画操作による操作軌跡から、画像再生時の演出効果を付与するための複数のパラメータを判断する判断手段、
前記検出手段による前記操作軌跡の検出時に前記表示手段に表示されていた画像と前記判断手段により判断された複数のパラメータを含む編集情報とを対応付けて記憶する記憶手段、
前記記憶手段から記憶された画像と該画像に対応付けられた編集情報とを読み出し、該編集情報に含まれる複数のパラメータに基づいて演出効果を付与して、該画像を前記表示部に表示する表示制御手段、
として機能させるプログラムであって、
前記表示部は、タッチパネルを備えており、
前記検出手段は、前記タッチパネル上への連続的な描画操作による一筆書きの始点から終点までを１つの操作軌跡とし、１つの画像に対して少なくとも２つ以上の描画操作による２つ以上の操作軌跡を検出し、
前記判断手段は、前記一筆書きによる２つ以上の操作軌跡から１つの演出効果に対応する前記複数のパラメータであって、演出効果の種別と、その他に少なくとも演出効果の方向、速度、変化量のうちの１つを含む複数のパラメータを判断し、
前記表示制御手段は、２つ以上の描画操作による操作軌跡の各々に対応する編集情報に含まれる複数のパラメータに基づいて、少なくとも方向、速度、変化量のうちの１つが指定された画像の移動または回転に関する演出効果を付与して、前記１つの画像を前記表示手段に表示することを特徴とするプログラム。
【請求項１５】
タッチパネルを備えた表示手段に画像を表示する表示ステップと、
表示された画像上への描画操作が行われると、該描画操作による操作軌跡を検出する検出ステップと、
検出された前記描画操作による操作軌跡に対応する、画像再生時の演出効果を付与するための複数のパラメータであって、演出効果の種別と、その他に少なくとも演出効果の方向、速度、変化量のうちの１つを含む複数のパラメータを判断する判断ステップと、
前記操作軌跡の検出時に表示されていた前記画像と前記判断された複数のパラメータを含む編集情報とを対応付けて記憶する記憶ステップと、
前記記憶された画像と該画像に対応付けられた編集情報とを読み出し、該編集情報に含まれる複数のパラメータに基づいて演出効果を付与して、該画像を表示する表示制御ステップと、
を含み、
前記表示制御ステップは、１つ以上の描画操作による操作軌跡が描画された時系列順に、それぞれに対応する編集情報に含まれる複数のパラメータに基づいて、少なくとも方向、速度、変化量のうちの１つが指定された画像の移動または回転に関する演出効果を含む複数の演出効果を付与して、前記画像を前記表示手段に表示することを特徴とする画像再生方法。
【請求項１６】
画像に演出効果を付与して表示部に表示する画像再生装置のコンピュータを、
前記表示部に表示された画像上への描画操作が行われると、該描画操作による操作軌跡を検出する検出手段、
前記検出手段により検出された前記描画操作による操作軌跡から、画像再生時の演出効果を付与するための複数のパラメータであって、演出効果の種別と、その他に少なくとも演出効果の方向、速度、変化量のうちの１つを含む複数のパラメータを判断する判断手段、
前記検出手段による前記操作軌跡の検出時に前記表示手段に表示されていた画像と前記判断手段により判断された複数のパラメータを含む編集情報とを対応付けて記憶する記憶手段、
前記記憶手段から記憶された画像と該画像に対応付けられた編集情報とを読み出し、該編集情報に含まれる複数のパラメータに基づいて演出効果を付与して、該画像を前記表示部に表示する表示制御手段、
として機能させるプログラムであって、
前記表示制御手段は、１つ以上の描画操作による操作軌跡が描画された時系列順に、それぞれに対応する編集情報に含まれる複数のパラメータに基づいて、少なくとも方向、速度、変化量のうちの１つが指定された画像の移動または回転に関する演出効果を含む複数の演出効果を付与して、
前記画像を前記表示手段に表示することを特徴とするプログラム。
【発明の詳細な説明】
【技術分野】
【０００１】
本発明は、画像に演出効果を付与して再生するデジタルカメラなどに係り、画像再生装置、画像再生方法、及びプログラムに関する。
【背景技術】
【０００２】
従来より、タッチパネルを設けた表示装置を備え、該タッチパネル上での操作に応じて、所定の動作を実行するデジタルカメラが提案されている。
【０００３】
例えば、タッチパネルが設けられた液晶パネルに撮像した画像を表示し、タッチパネルに触れられると、その操作位置を検知し、該位置に基づいて、画像を変形させる技術が提案されている（例えば、特許文献１参照）。
【０００４】
また、他の従来技術としては、タッチパネルが設けられた表示装置に大量の画像を表示しておき、タッチパネル上で円または弧を描くような操作が行われると、その描画方向に応じて、表示する撮像画像を連続的に切り換えるというように、その使い勝手を向上させる技術が提案されている（例えば、特許文献２参照）。
【０００５】
また、他の従来技術としては、タッチパネルでの触指軌跡と予め決められているジェスチャ動作とを対比することで、触指軌跡からジェスチャ動作を特定し、該ジェスチャ動作に従って、予め設定されている操作内容を実行する技術が提案されている（例えば、特許文献３参照）。
【特許文献１】特開２００２−２６２１６９号公報
【特許文献２】特開２００６−０４００５０号公報
【特許文献３】特開２００３−３１９２４４号公報
【発明の開示】
【発明が解決しようとする課題】
【０００６】
上述した従来技術では、タッチパネル上での操作軌跡とデジタルカメラの動作とを対応付けることで、タッチパネル操作による動作の指示を行うことを可能としている。しかしながら、タッチパネル上での操作により判断される動作指示のパラメータは、画像の領域指定や、画像の変形の指定などの比較的単純なものしかなく、静止画のスライドショー再生や、動画などの動きのある画像再生動作における様々な演出効果（エフェクト）を指示するために利用することは難しかった。
【０００７】
そこで本発明は、静止画のスライドショー再生や、動画などの動きのある画像再生動作における様々な演出効果（エフェクト）を、直感的な操作によって素早く容易に指示することができる画像再生装置、画像再生方法、及びプログラムを提供することを目的とする。
【課題を解決するための手段】
【０００８】
本発明は、画像を表示する表示手段と、前記表示手段に表示された画像上への描画操作が行われると、該描画操作による操作軌跡を検出する検出手段と、前記検出手段により検出された前記描画操作による操作軌跡から、画像再生時の演出効果を付与するための複数のパラメータを判断する判断手段と、前記検出手段による前記操作軌跡の検出時に前記表示手段に表示されていた画像と前記判断手段により判断された複数のパラメータを含む編集情報とを対応付けて記憶する第１の記憶手段と、前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、複数の画像を前記表示手段に順番に表示しながら、表示されている各画像に対応させて、前記検出手段による前記操作軌跡の検出動作、前記判断手段による前記複数のパラメータの判断動作を繰り返し実行させる制御手段とを備え、前記第１の記憶手段は、前記制御手段の制御により取得された複数のパラメータを含む編集情報を各画像に対応付けて、各画像の再生順序が決められたスライドショーデータとして記憶し、前記表示制御手段は、前記第１の記憶手段に記憶されたスライドショーデータの再生が指示されると、該スライドショーデータに含まれる複数の画像を順番に再生して表示するとともに、各画像に対応付けられた編集情報に含まれる複数のパラメータに基づいて、各画像を再生表示する際に演出効果を付与することを特徴とする画像再生装置、画像再生方法、プログラムである。
【０００９】
また、他の態様による発明は、画像を表示する表示手段と、前記表示手段に表示された画像上への描画操作が行われると、該描画操作による操作軌跡を検出する検出手段と、前記検出手段により検出された前記描画操作による操作軌跡から、画像再生時の演出効果を付与するための複数のパラメータを判断する判断手段と、前記検出手段による前記操作軌跡の検出時に前記表示手段に表示されていた画像と前記判断手段により判断された複数のパラメータを含む編集情報とを対応付けて記憶する第１の記憶手段と、前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、演出効果の種別と、その他に少なくとも演出効果の方向、速度、変化量のうちの１つを含む複数のパラメータの内容が異なる複数の前記編集情報であって、演出効果の種別が画像の移動または回転である前記編集情報を含む複数の前記編集情報と、複数の前記操作軌跡の各々とを対応付けて記憶する第２の記憶手段とを備え、前記判断手段は、前記検出手段により検出された前記描画操作による操作軌跡に対応する前記編集情報を前記第２の記憶手段から取得することにより、前記演出効果の種別と、その他に少なくとも演出効果の方向、速度、変化量のうちの１つを含む複数のパラメータを判断し、前記表示制御手段は、前記判断手段により演出効果の種別が画像の移動または回転であると判断された場合は、少なくとも方向、速度、変化量のうちの１つが指定された画像の移動または回転を行うことを特徴とする画像再生装置、画像再生方法、プログラムである。
【００１０】
また、他の態様による発明は、画像を表示する表示手段と、前記表示手段に表示された画像上への描画操作が行われると、該描画操作による操作軌跡を検出する検出手段と、前記検出手段により検出された前記描画操作による操作軌跡から、画像再生時の演出効果を付与するための複数のパラメータを判断する判断手段と、前記検出手段による前記操作軌跡の検出時に前記表示手段に表示されていた画像と前記判断手段により判断された複数のパラメータを含む編集情報とを対応付けて記憶する第１の記憶手段と、前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、を備え、前記表示手段は、タッチパネルを備えており、前記検出手段は、前記タッチパネル上への連続的な描画操作による一筆書きの始点から終点までを１つの操作軌跡とし、１つの画像に対して少なくとも２つ以上の描画操作による２つ以上の操作軌跡を検出し、前記判断手段は、前記一筆書きによる２つ以上の操作軌跡から１つの演出効果に対応する前記複数のパラメータであって、演出効果の種別と、その他に少なくとも演出効果の方向、速度、変化量のうちの１つを含む複数のパラメータを判断し、前記表示制御手段は、２つ以上の描画操作による操作軌跡の各々に対応する編集情報に含まれる複数のパラメータに基づいて、少なくとも方向、速度、変化量のうちの１つが指定された画像の移動または回転に関する演出効果を付与して、前記１つの画像を前記表示手段に表示することを特徴とする画像再生装置、画像再生方法、プログラムである。
【００１１】
また、他の態様による発明は、画像を表示する表示手段と、前記表示手段に表示された画像上への描画操作が行われると、該描画操作による操作軌跡を検出する検出手段と、前記検出手段により検出された前記描画操作による操作軌跡から、画像再生時の演出効果を付与するための複数のパラメータであって、演出効果の種別と、その他に少なくとも演出効果の方向、速度、変化量のうちの１つを含む複数のパラメータを判断する判断手段と、前記検出手段による前記操作軌跡の検出時に前記表示手段に表示されていた画像と前記判断手段により判断された複数のパラメータを含む編集情報とを対応付けて記憶する第１の記憶手段と、前記第１の記憶手段から記憶された画像と該画像に対応付けられた編集情報とを読み出し、該編集情報に含まれる複数のパラメータに基づいて演出効果を付与して、該画像を前記表示手段に表示する表示制御手段と、を備え、前記表示制御手段は、１つ以上の描画操作による操作軌跡が描画された時系列順に、それぞれに対応する編集情報に含まれる複数のパラメータに基づいて、少なくとも方向、速度、変化量のうちの１つが指定された画像の移動または回転に関する演出効果を含む複数の演出効果を付与して、前記画像を前記表示手段に表示することを特徴とする画像再生装置、画像再生方法、プログラムである。
【発明の効果】
【００２３】
この発明によれば、静止画のスライドショー再生や、動画などの動きのある画像再生動作における様々な演出効果（エフェクト）を、直感的な操作によって素早く容易に指示することができるという利点が得られる。
【発明を実施するための最良の形態】
【００２４】
以下、本発明の実施の形態を、図面を参照して説明する。
【００２５】
Ａ−１．実施形態の構成
図１は、本発明の実施形態によるデジタルカメラの構成を示すブロック図である。図において、画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタンが操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２６】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２７】
次に、制御部（ＣＰＵ）２０は、後述するプログラムメモリ格納されるプログラムに従ってデジタルカメラ１（撮像装置）の全体を制御する。特に、本実施形態では、後述するタッチパネル２７１上での描画操作に対する操作軌跡を検出し、該操作軌跡に対応する、スライドショー再生で画像に対する表示に演出効果を付与するために用いられる編集処理（表示領域の指定、拡大・縮小、移動、回転など）を特定し、画像と編集処理とを対応付けて保存する処理や、画像をスライドショー再生する際に、保存した画像と編集処理とを読み出し、該編集処理に従って演出効果を付与して、該画像を後述する表示部２５に表示する処理などを実行する。
【００２８】
プレビューエンジン２２は、記録モード（撮影モード）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００２９】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。特に、本実施形態では、スライドショー再生に先だつスライドショー編集処理で指定された、後述するタッチパネル２７１上での描画操作による操作軌跡に対応する編集処理（表示領域の指定、表示領域の拡大・縮小、移動、回転など）に従って演出効果が付与された画像をスライドショー再生する。
【００３０】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。また、入力手段として、タッチパネル２７１を備えている。該タッチパネル２７１は、表示部２５の前面に設けられており、表示部２５に表示された画像に連動して各種指示を入力する。
【００３１】
特に、本実施形態では、スライドショー再生に先だつスライドショー編集処理において、スライドショー再生で画像に対する演出効果を指示するために用いられる。具体的には、タッチパネル２７１上で所定の図柄を描画することで演出効果を指示する。所定の図柄とは、円や、直線、曲線からなり、いずれの場合も、１つの操作軌跡を有する一筆書きの始点から終点までの描画操作に相当する。また、１つの操作軌跡は、１つの演出効果に対応している。また、１つの画像に対して、複数の描画操作を行うことにより、複数の演出効果を指定することが可能である。この場合、描画操作が行われた時系列順に、演出効果が付与されることになる。
【００３２】
デジタル信号処理部２８は、アナログ信号処理部１５を介して入力されたデジタルデータに対して、ホワイトバランス処理や、色処理、階調処理、輸郭強調、ＲＧＢ形式からＹＵＶ形式への変換、ＹＵＶ形式からＪＰＥＧ形式への変換、スライドショー再生時における編集処理（表示領域の指定、拡大・縮小、移動、回転など）などを行う。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００３３】
プログラムメモリ３０は、制御部２０にロードされる各種プログラムや、データ通信処理や音声通信などにおいて必要とされる各種データなどを格納する。画像メモリ３１は、イメージバッファ２６に一時的に保持された画像データや、各種ファイル形式に変換されたデジタルデータ、動画データなどを格納する。カードＩ／Ｆ３２は、外部記録媒体３３とデジタルカメラ本体との間のデータ交換を制御する。外部記録媒体３３は、コンパクトフラッシュ（登録商標）、メモリースティック、ＳＤカード等からなる着脱可能な記録媒体であり、撮影された親画像（オリジナル画像）を格納する。外部接続用Ｉ／Ｆ３４は、ＵＳＢコネクター用スロットなどからなり、パーソナルコンピュータなどと接続され、撮影した画像データの転送などに用いられる。
【００３４】
ＲＡＭ３５は、制御部（ＣＰＵ）２０の制御に必要な各種パラメータや、タッチパネル２７１に対する操作軌跡に含まれる閉ループや直線（曲線）部分の数、操作方向、操作速度などと、これら閉ループや直線（曲線）部分の数、操作方向、操作速度などに対応する編集処理（表示領域の指定、拡大・縮小、移動、回転、それらの方向、速度など）とを対応付けて保持する対応テーブルなどを記憶する。
【００３５】
Ｂ．実施形態の動作
次に、上述した実施形態の動作について説明する。
ここで、図２及び図３は、本実施形態によるデジタルカメラのスライドショー作成（編集）処理の動作を説明するためのフローチャートである。ユーザによりスライドショー作成モードが選択されると、まず、スライドショー表示の編集対象となる静止画データを選択させる（ステップＳ１０）。静止画データの選択は、保存されている静止画データのサムネイルを一覧表示し、その中から選択させるようにすればよい。静止画データが選択されると、選択された静止画データを表示部２５に表示する（ステップＳ１２）。ユーザは、表示部２５に表示されている静止画データに対して、どの部分を、どのように表示するか（拡大、移動など）を、タッチパネル２７１上を指（または所定のペン）でタッチして一筆書きにより、スライドショー再生時の画像に対する演出効果を指定する。
【００３６】
本実施形態では、タッチパネル２７１上に円や、直線（曲線）などを描くことで、スライドショー再生時の画像に対する演出効果（エフェクト）を指定するようになっている。例えば、タッチパネル２７１上に円を描くことにより、その円の内部を表示領域としたり、線で移動方向を指定したり、線を描くスピード（指の移動速度）により表示変化の速さを指定したりする。
【００３７】
次に、表示画像上（タッチパネル２７１上）での操作が開始されたか否かを判断し（ステップＳ１４）、何らかの操作が開始された場合には、操作軌跡に閉ループができているか否かを判断する（ステップＳ１６）。そして、操作軌跡に閉ループができている場合には、この閉ループで囲まれた領域を編集処理（表示、移動、拡大・縮小、回転など）の対象領域として特定する（ステップＳ１８）。次に、操作軌跡に、閉ループに向かう直線（曲線）部分、または閉ループから出る直線（または曲線）部分があるか否かを判断する（ステップＳ２０）。そして、直線（曲線）部分があった場合には、この直線（曲線）部分の操作方向を、編集処理（移動、拡大・縮小、回転など）の方向として特定し（ステップＳ２２）、操作軌跡が描かれた速さを取得し、編集処理（移動、拡大・縮小、回転など）の量として特定する（ステップＳ２４）。
【００３８】
一方、操作軌跡に閉ループができておらず、直線（または曲線）部分だけである場合には、ステップＳ１８を実行することなく、ステップＳ２２で、この直線（曲線）部分の操作方向を、編集処理の方向として特定し、ステップＳ２４で、操作軌跡が描かれた速さを取得し、編集処理の量として特定する。また、操作軌跡に閉ループができておらず、かつ、直線（または曲線）部分もない場合には、ステップＳ２４で、操作軌跡が描かれた速さを取得し、編集処理の量として特定する。
【００３９】
ここで、図５乃至図１３は、本実施形態によるスライドショー作成時における、効果の指定例と該指定による効果とを説明するための模式図である。図５には、元々の原画像を示している。該原画像に対して、図６（ａ）に示すように、円Ｃ１が描かれると、図６（ｂ）に示すように、円Ｃ１の内部を表示領域Ｄ１に設定する。また、図７（ａ）に示すように、円Ｃ２が描かれ、次に、その円Ｃ２から外に向かう直線Ｌ１が描かれると、図７（ｂ）に示すように、円Ｃ２の内側を表示領域Ｄ２に設定するとともに、その表示領域Ｄ２を、直線Ｌ１が描かれた方向に、描かれた速さで移動するように設定する。
【００４０】
また、図８（ａ）に示すように、まず、直線Ｌ２が描かれ、次に、円Ｃ３が描かれると、図８（ｂ）に示すように、直線Ｌ２が描かれた方向に、かつ直線Ｌ２が描かれた速さで、円Ｃ３の内側で示される表示領域Ｄ３を終点とするように、表示領域Ｄ３が移動するように設定する。また、図９（ａ）に示すように、まず、小さな円Ｃ４が描かれ、次に、その外側にほぼ同心の一回り大きな円Ｃ５が描かれると、図９（ｂ）に示すように、小さな円Ｃ４で示される表示領域Ｄ４を始点とし、その表示領域Ｄ４の中心を固定した状態で外側に広がり、外側の円Ｃ５を終点の表示領域Ｄ５とするように設定する。
【００４１】
また、図１０（ａ）に示すように、まず、小さな円Ｃ６が描かれ、次に、その外側に中心が異なる円（楕円）Ｃ７が描かれると、図１０（ｂ）に示すように、小さな円Ｃ６で示される表示領域Ｄ６を始点とし、その表示領域Ｄ６の中心を移動させながら外側に拡大し、外側の円Ｃ７の内部を終点の表示領域Ｄ７とするように設定する。また、図１１（ａ）に示すように、まず、小さな円Ｃ８が描かれ、次に、その外側に所定の回転方向で渦巻きＣ９が描かれると、図１１（ｂ）に示すように、小さな円Ｃ８で示される表示領域Ｄ８を始点とし、該表示領域Ｄ８を、渦巻きＣ９の回転方向に、渦巻きＣ９が描かれた速さで回転させながら、渦巻きＣ９の大きさに応じた表示領域Ｄ９になるように、徐々に拡大するように設定する。
【００４２】
また、図１２（ａ）に示すように、２つの円Ｃ１０、Ｃ１１が描かれると、図１２（ｂ）に示すように、それぞれの円Ｃ１０、Ｃ１１の内部を表示領域Ｄ１０、Ｄ１１とし、それぞれの表示領域Ｄ１０、Ｄ１１が交互に切り替わるように設定する。また、図１３（ａ）に示すように、円Ｃ１２が描かれ、次に、該円Ｃ１２に向かう直線（または曲線）Ｌ３が描かれると、図１３（ｂ）に示すように、該円Ｃ１２で示される表示領域Ｄ１２を終点とし、該表示領域Ｄ１２が、直線（または曲線）Ｌ３の軌跡に沿って、直線（または曲線）Ｌ３が描かれた速さで、終点に向かって移動するように設定する。
【００４３】
なお、１つの画像に対しては、複数の描画操作を組み合わせることが可能である。例えば、上述した図８（ａ）、（ｂ）に示す右から左へ表示領域Ｄ３を移動させる演出効果と、図９（ａ）、（ｂ）に示す中心を固定して表示領域Ｄ４を拡大する演出効果とを組み合わせ行うようにしてもよい。
【００４４】
次に、いずれの場合も、１回の編集処理を指定する操作が終了したか否かを判断する（ステップＳ２６）。操作の終了は、タッチパネル２７１上での一筆書きが終了したことや、操作が止まってからの経過時間、あるいはユーザによる特定の操作（ダブルタップなど）などで判定する。そして、１回の編集処理を指定する操作が終了していない場合には、ステップＳ１６に戻り、上述した処理を繰り返す。一方、１回の編集処理を指定する操作が終了したと判断された場合には、操作軌跡全体に含まれる閉ループや、直線（曲線）部分の数や、操作方向、操作速度に対応する編集処理の内容を、対応テーブルを参照して特定する（ステップＳ２８）。
【００４５】
次に、選択されている静止画データと、特定された編集処理、及び対象領域や、方向、量（速度）などの情報（編集情報（エフェクトデータ））とを対応付けて記録し（ステップＳ３０）、次に再生される画像を追加する指示があったか否かを判断し（ステップＳ３２）、ユーザにより追加する指示があった場合には、ステップＳ１０に戻り、次に選択された静止画データに対して上述した処理を繰り返す。
【００４６】
一方、次に再生される画像の追加指示がなかった場合には、それまでに選択された複数の静止画データと、それぞれの編集情報（エフェクトデータ）とをスライドショーデータとしてファイルに保存し（ステップＳ３４）、当該処理を終了する。
【００４７】
次に、図４は、本実施形態によるデジタルカメラのスライドショー再生処理の動作を説明するためのフローチャートである。ユーザによりスライドショー再生モードが選択されると、まず、スライドショーデータが格納されたファイルを選択させる（ステップＳ４０）。スライドショーデータの選択は、保存されているスライドショーデータの一覧（スライドショーデータのファイル名一覧、または、スライドショーデータに含まれる最初の静止画像データのサムネイルの一覧表示し、その中から選択させるようにすればよい。
【００４８】
スライドショーデータが格納されたファイルが選択されると、次に、選択されたスライドショーデータに含まれる最初の静止画データを取得し（ステップＳ４２）、取得した静止画データに対応する編集情報（エフェクトデータ）を取得し（ステップＳ４４）、取得した静止画データを編集情報（エフェクトデータ）に従って、前述した図６（ｂ）乃至図１３（ｂ）に示すように、再生表示する（ステップＳ４６）。次に、選択されたスライドショーデータに、次の静止画データがあるか否かを判断し（ステップＳ４８）、次の静止画データがある場合には、ステップＳ４２に戻り、上述した処理を繰り返す。一方、次の静止画データがない場合には、当該処理を終了する。
【００４９】
上述した実施形態によれば、タッチパネル２７１上で行われる操作の位置、方向、速度、操作種別（円、直線など）を、スライドショー再生時に表示に変化を与えるべき表示領域、変化の方向、変化の量や、速度、変化種別（移動、拡大など）に対応付けることにより、スライドショー再生に係る複雑な演出効果を、タッチパネル２７１上で原画像を確認しながら、その原画像に対して、単純な図形を用いて指示できるようにしたことにより、スライドショー再生に係る、移動の始点、終点、移動速度、表示領域の切り替え方法などの多くのパラメータを、直感的に、かつ容易に設定することができる。
【００５０】
また、上述した実施形態によれば、タッチパネル２７１上の描画操作による一筆書きの始点から終点までを１つの操作軌跡としたので、単純な図形を用いて、スライドショー再生に係る複雑な演出効果を指示できる。
【００５１】
また、上述した実施形態によれば、タッチパネル２７１上の描画操作による１つの操作軌跡を、１つの演出効果に対応させることで、直感的に、かつ容易に設定することができる。
【００５２】
また、上述した実施形態によれば、１の画像に対して複数の描画操作を行うことを可能とすることで、１つの画像に複数の演出効果を容易に付与することができる。
【００５３】
また、上述した実施形態によれば、複数の描画操作による操作軌跡が描画された場合、その時系列順に、それぞれに対応する編集情報に従って演出効果を付与するようにしたので、付与したい演出効果の順番で描画操作すればよく、直感的に、かつ容易に設定することができる。
【００５４】
なお、上述した実施形態では、タッチパネル上での操作をスライドショー再生に係る演出効果を指定するために用いたが、特定の形状、特定の軌跡、特定のタッチ操作が行われた場合には、編集操作に係る基本動作、スライドショー再生モードへ進む指示と判別したり、原画像を拡大（あるいは縮小）する指示と判別したり、編集作業を終了する指示と判別するようにしてもよい。
【００５５】
また、上述した実施形態では、円を描くことにより対象領域（表示領域）を指定し、直線（曲線）を描くことにより、移動や、拡大、速さ、変化量などを指定するようにしたが、これに限らず、四角形や、三角形など他の図形でもよく、その図形に応じた効果を設定するようにしてもよい。また、円や、四角形、三角形などの中を塗りつぶす操作を行うことで、新たな効果を設定するようにしてもよい。
【００５６】
また、上述した実施形態では、撮影機能を有するデジタルカメラとしたが、これに限らず、記録媒体に記録されている静止画データを再生するメディアプレーヤなどでのスライドショー再生に適用してもよい。
【００５７】
上述した実施形態では、１または複数の静止画データからスライドショーデータを作成する場合の例で説明したが、既に記録済みのスライドショーデータの編集に適用してもよい。
【００５８】
また、１または複数の静止画データから動画データを作成する場合や、既に記録済みの動画データを編集する場合に適用してもよい。
【００５９】
また、特に動きのある画像の再生動作に限らず、１枚の画像データに対して変形処理を行う場合に適用するようにしてもよい。
【図面の簡単な説明】
【００６０】
【図１】本発明の実施形態によるデジタルカメラの構成を示すブロック図である。
【図２】本実施形態によるデジタルカメラのスライドショー作成（編集）処理の動作を説明するためのフローチャートである。
【図３】本実施形態によるデジタルカメラのスライドショー作成（編集）処理の動作を説明するためのフローチャートである。
【図４】本実施形態によるデジタルカメラのスライドショー再生処理の動作を説明するためのフローチャートである。
【図５】本実施形態によるスライドショー作成時における、効果の指定例と該指定による効果とを説明するための模式図である。
【図６】本実施形態によるスライドショー作成時における、効果の指定例と該指定による効果とを説明するための模式図である。
【図７】本実施形態によるスライドショー作成時における、効果の指定例と該指定による効果とを説明するための模式図である。
【図８】本実施形態によるスライドショー作成時における、効果の指定例と該指定による効果とを説明するための模式図である。
【図９】本実施形態によるスライドショー作成時における、効果の指定例と該指定による効果とを説明するための模式図である。
【図１０】本実施形態によるスライドショー作成時における、効果の指定例と該指定による効果とを説明するための模式図である。
【図１１】本実施形態によるスライドショー作成時における、効果の指定例と該指定による効果とを説明するための模式図である。
【図１２】本実施形態によるスライドショー作成時における、効果の指定例と該指定による効果とを説明するための模式図である。
【図１３】本実施形態によるスライドショー作成時における、効果の指定例と該指定による効果とを説明するための模式図である。
【符号の説明】
【００６１】
１  デジタルカメラ
１０  画像取得部
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
２０  制御部
２２  プレビューエンジン
２３  Ｄ／Ａコンバータ
２４  ドライバ
２５  表示部
２６  イメージバッファ
２７１  タッチパネル
２８  デジタル信号処理部
３０  プログラムメモリ
３１  画像メモリ
３２  カードＩ／Ｆ
３３  外部記録媒体
３４  外部接続用Ｉ／Ｆ
３５  ＲＡＭ
【図１】
0005110379.tif 000002
【図２】
0005110379.tif 000003
【図３】
0005110379.tif 000004
【図４】
0005110379.tif 000005
【図５】
0005110379.tif 000006
【図６】
0005110379.tif 000007
【図７】
0005110379.tif 000008
【図８】
0005110379.tif 000009
【図９】
0005110379.tif 000010
【図１０】
0005110379.tif 000011
【図１１】
0005110379.tif 000012
【図１２】
0005110379.tif 000013
【図１３】
0005110379.tif 000014